(57)【特許請求の範囲】
【請求項１】
左右方向へ延在するヒンジ軸を持つ１つまたは３つ以上の奇数の折り曲げ部（１a）で縦に折り曲げ可能なステージ本体（１）を具える折り畳み収納式ステージにおいて、
前記ステージ本体の天板（１ｄ）は、前記折り曲げ部（１ａ）で前後方向に分かれた複数の部分を有しており、
前記天板（１ｄ）の前記複数の部分のそれぞれの側端部に、その部分毎に側部カバー（１ｆ）が前後方向へ延在して設けられ、
前記天板の互いに隣接する前記部分にそれぞれ設けられた前記側部カバー（１ｆ）は、左右方向に互いにオフセットして位置するように配置されていることを特徴とする折り畳み収納式ステージ。
【請求項２】
前記ステージ本体（１）は、そのステージ本体の前端部に位置する前端ブラケット（１ｉ）と、そのステージ本体の後端部に位置する後端ブラケット（１ｊ）と、前記折り曲げ部（１ａ）に位置する中間ブラケット（１ｋ）と、を有し、
前記前端ブラケット（１ｉ）と前記中間ブラケット（１ｋ）との間および、前記後端ブラケット（１ｊ）と前記中間ブラケット（１ｋ）との間並びに、前記中間ブラケット（１ｋ）が３つ以上ある場合はその中間ブラケット（１ｋ）同士の間は、左右方向へ延在するヒンジ軸を持ってそれらのブラケットとともに４節リンクを構成するリンク部材（１ｂ、１ｃ、１ｇ、１ｈ）で互いに連結されており、
前記ステージ本体の天板（１ｄ）は、前記リンク部材に取り付けられ、
前記前端ブラケット（１ｉ）の下端部には車輪（１ｑ）が設けられ、
前記後端ブラケット（１ｊ）は床面（ＦＬ）上に配置されていることを特徴とする、請求項１記載の折り畳み収納式ステージ。
【請求項３】
前記前端ブラケット（１ｉ）の側部には前部カバー（１ｅ）が設けられ、
前記前端ブラケット（１ｉ）の側部の前部カバー（１ｅ）と、前記ステージ本体（１）が展開された状態でその前部カバー（１ｅ）に隣接する前記側部カバー（１ｆ）とは、左右方向に互いにオフセットして位置するように配置されていることを特徴とする、請求項２記載の折り畳み収納式ステージ。
【請求項４】
前記後端ブラケット（１ｊ）には、左右方向へ延在する塞ぎ板（１ｓ）が設けられ、
前記前端ブラケット（１ｉ）の側部の前部カバー（１ｅ）は、前記ステージ本体（１）が折り曲げられた状態で、前記塞ぎ板（１ｓ）に隣接または当接することを特徴とする、請求項３記載の折り畳み収納式ステージ。
【発明の詳細な説明】
【技術分野】
【０００１】
この発明は、不使用時に縦に折り畳んで壁部等に収納できる折り畳み収納式ステージに関するものである。
【背景技術】
【０００２】
従来の折り畳み収納式ステージとしては、例えば特許文献１に記載された如きものが知られており、この折り畳み収納式ステージは、左右方向へ延在するヒンジ軸を持つ折り曲げ部を前後方向中央部に有するステージ本体と、そのステージ本体の後端部の下部に設けられたウインチと、そのウインチのドラムの回転により巻き取りおよび繰り出しされるとともに先端部をステージ本体の前端部の下部に結合されたワイヤと、を具えている。
【０００３】
かかる従来の折り畳み収納式ステージにおけるステージ本体の収納時には、ステージ本体の水平展開状態からウインチがドラムを回転させてワイヤを巻き取ってゆき、これによりステージ本体の前後方向他端部が一端部に引き寄せられて、ステージ本体が縦に折り畳まれながら壁面の凹部内に収納される。
【０００４】
一方、ステージ本体の水平展開時には、ウインチがドラムを巻き取り時と逆に回転させてワイヤを繰り出してゆき、これによりステージ本体中間部が自重により下降するとともにステージ本体他端部が進出して、ステージ本体が水平状態まで展開する。
【先行技術文献】
【特許文献】
【０００５】
【特許文献１】特開平１０−００８７５０
【発明の開示】
【発明が解決しようとする課題】
【０００６】
ところでこの種の従来の折り畳み収納式ステージでは、ステージ本体の水平展開状態でそのステージ本体の天板の下のウインチやワイヤやフレーム等の構造物を観客から隠してステージの外観を整えるために、天板の前端部に前部カバーが設けられるとともに天板の側端部に側部カバーが設けられるのが通常である。しかしながらステージ本体はその収納時に縦に折り畳まれることから、天板の側端部に側部カバーが固設されているとその側部カバーがステージ本体の折り畳みの際の邪魔になってしまう。
【０００７】
このため従来は通常、側部カバーを天板の側端部に着脱可能に設け、ステージ本体の収納時に側部カバーを天板の側端部から取り外してからステージ本体を折り畳み、ステージ本体の水平展開時に再度、側部カバーを天板の側端部に取り付けているが、このようにすると、側部カバーの着脱作業に人手と時間がかかるという問題があった。また、側部カバーを取り外し忘れた状態でステージ本体を折り畳もうとすると、天板への側部カバーの装着部や側部カバー自体が破損する場合があるという問題もあった。
【課題を解決するための手段】
【０００８】
この発明は、上記課題を有利に解決することを目的とするものであり、この発明の折り畳み収納式ステージは、左右方向へ延在するヒンジ軸を持つ折り曲げ部で縦に折り曲げ可能なステージ本体を具える折り畳み収納式ステージにおいて、前記ステージ本体の、前記折り曲げ部で前後方向に区画される複数の部分のそれぞれの側端部にその部分毎に側部カバーを設け、前記ステージ本体の、互いに隣接する前記部分の間で前記側部カバー同士が左右方向に互いにオフセットして位置するように前記側部カバーを配置したことを特徴とするものである。
【発明の効果】
【０００９】
かかる折り畳み収納式ステージにあっては、ステージ本体の収納時には、ステージ本体の水平展開状態からステージ本体の折り曲げ部が曲げられて、ステージ本体が縦に折り畳まれながら壁面の凹部内等に収納される。一方、ステージ本体の水平展開時には、ステージ本体の折り畳み収納状態からステージ本体の折り曲げ部が伸ばされて、ステージ本体が床面上等で水平状態まで展開する。そして、ステージ本体の収納の際には、ステージ本体の、折り曲げ部で前後方向に区画される複数の部分のそれぞれの側端部にその部分毎に側部カバーを設けてあるので、側部カバーを外さなくても折り曲げ部でのステージ本体の折り曲げに支障は生じず、またステージ本体の水平展開の際には、ステージ本体の、互いに隣接する部分の間で側部カバー同士が左右方向に互いにオフセットして位置するので、側方視で側部カバーを互いに端部が重なり合うような長さにしても側部カバー同士が互いに干渉しない。
【００１０】
従って、この発明の折り畳み収納式ステージによれば、側部カバーの着脱作業にかかる人手と時間を省くことができ、また、側部カバーを装着した状態でステージ本体を折り畳んでも天板への側部カバーの装着部や側部カバー自体の損傷を生じることがない。しかも、側方視で側部カバーを互いに端部が重なり合うような長さにできるので、ステージ本体の天板の下の構造物を観客から充分に隠して、ステージの外観を充分に整えることができる。
【００１１】
なお、この発明の折り畳み収納式ステージにおいては、前記ステージ本体は、そのステージ本体の前端部に位置する前端ブラケットと、そのステージ本体の後端部に位置する後端ブラケットと、前記折り曲げ部に位置する中間ブラケットと、を有し、前記前端ブラケットと前記中間ブラケットとの間および、前記後端ブラケットと前記中間ブラケットとの間並びに、前記中間ブラケットが３つ以上ある場合はその中間ブラケット同士の間は、左右方向へ延在するヒンジ軸を持ってそれらのブラケットとともに４節リンクを構成するリンク部材で互いに連結されており、前記ステージ本体の天板は、前記リンク部材に取り付けられ、前記前端ブラケットの下端部には車輪が設けられ、前記後端ブラケットは床面上に配置されていても良い。
【００１２】
このようにすれば、前端ブラケットと中間ブラケットとの間および、後端ブラケットと中間ブラケットとの間並びに、中間ブラケットが３つ以上ある場合はその中間ブラケット同士の間が、左右方向へ延在するヒンジ軸を持ってそれらのブラケットとともに４節リンクを構成するリンク部材で互いに連結されていることから、ステージ本体が折り畳まれた状態と水平に展開された状態とで、床面上に配置された後端ブラケットと車輪が設けられた前端ブラケットとの間の相対姿勢の変化を任意に設定できるので、例えば４節リンクを実質的に平行リンクとすることでその相対姿勢の変化を実質的になくし、ステージ本体の水平展開時および折り畳み時に車輪を常時下向きにして床面に当接させながら前端ブラケットを進退移動させることができる。
【００１３】
また、この発明の折り畳み収納式ステージにおいては、前記前端ブラケットの側部には前部カバーが設けられ、前記前端ブラケットの側部の前部カバーと、前記ステージ本体が展開された状態でその前部カバーに隣接する前記側部カバーとは、左右方向に互いにオフセットして位置するように配置されていても良い。
【００１４】
このようにすれば、前端ブラケットの側部の前部カバーと、ステージ本体が展開された状態でその前部カバーに隣接する側部カバーとが左右方向に互いにオフセットして位置することから、側部の前部カバーと側部カバーの前端部とを互いに重なり合うような長さにできるので、ステージの外観をさらに整えることができる。
【００１５】
さらに、この発明の折り畳み収納式ステージにおいては、前記後端ブラケットには、左右方向へ延在する塞ぎ板が設けられ、前記前端ブラケットの側部の前部カバーは、前記ステージ本体が折り曲げられた状態で、前記塞ぎ板に隣接または当接するようにしても良い。
【００１６】
このようにすれば、ステージ本体が折り曲げられた状態で、前端ブラケットの側部の前部カバーが、後端ブラケットの左右方向へ延在する塞ぎ板に隣接または当接するので、ステージ本体の折り曲げ収納状態で、前端ブラケットと後端ブラケットとの間の隙間をそれら前部カバーと塞ぎ板とで覆うことができ、これにより、前端ブラケットと後端ブラケットとの間の隙間に異物が侵入するのを防止し得て、その異物によってステージ本体の展開作動が妨げられるのを回避することができる。
【図面の簡単な説明】
【００１７】
【図１】（ａ），（ｂ）は、この発明の折り畳み収納式ステージの一実施例を示す展開状態の平面図および展開状態の正面図である。
【図２】（ａ），（ｂ）および（ｃ）は、上記実施例の折り畳み収納式ステージを示す展開状態の側面図、折り畳みまたは展開途中の側面図および折り畳み状態の側面図である。
【図３】（ａ）および（ｅ）は、上記実施例の折り畳み収納式ステージを展開して透視状態で示す平面図および側面図、そして（ｂ），（ｃ）および（ｄ）は、その（ａ）中のＡ−Ａ線、Ｂ−Ｂ線およびＣ−Ｃ線に沿う断面図である。
【図４】（ａ）および（ｂ）は、上記実施例の折り畳み収納式ステージを折り畳んで透視状態で示す平面図および拡大側面図である。
【図５】（ａ）および（ｂ）は、上記実施例の折り畳み収納式ステージのウインチの要部を拡大して示す平面図および正面図である。
【図６】（ａ）は、上記実施例の折り畳み収納式ステージを展開して透視状態で示す、図３（ａ）の右端部の部分の拡大平面図、（ｂ）は、上記実施例の折り畳み収納式ステージを展開して透視状態で示す、図３（ｅ）の拡大側面図、そして（ｃ）は、（ｂ）中のＤ−Ｄ線に沿うとともに一部を省略して示す断面図である。
【発明を実施するための形態】
【００１８】
以下に、この発明の実施の形態を実施例によって、図面に基づき詳細に説明する。ここに、図１（ａ）および（ｂ）は、この発明の折り畳み収納式ステージの一実施例を展開状態で示す平面図および正面図、また、図２（ａ），（ｂ）および（ｃ）は、上記実施例の折り畳み収納式ステージを示す展開状態の側面図、折り畳みまたは展開途中の側面図および折り畳み状態の側面図であり、図中符号１はステージ本体、２はウインチ、３はワイヤ、ＦＬは床面、Ｗは壁面、Ｐは凹部をそれぞれ示す。
【００１９】
この実施例の折り畳み収納式ステージは、図１に示すように、左右方向へ延在するヒンジ軸を持つステージ前後方向中央部の折り曲げ部１ａで縦に折り曲げ可能なステージ本体１と、そのステージ本体１の後端部（図１（ａ）では上端部）に設けられたウインチ２と、そのウインチ２の２つのドラムの回転により巻き取りおよび繰り出しされるとともにステージ本体１の前端部（図１（ａ）では下端部）のプーリ１ｎに係合された２本のワイヤ３とを具え、そのウインチ２によるワイヤ３の繰り出しおよび巻き取りにより、図２に示すように、後述の如くしてステージ本体１を床面ＦＬ上で水平展開および壁面Ｗの凹部Ｐ内に折り畳み収納するものである。
【００２０】
図３（ａ）および図３（ｅ）は、この実施例の折り畳み収納式ステージを展開して透視状態で示す平面図および側面図、そして図３（ｂ），図３（ｃ）および図３（ｄ）は、その図３（ａ）中のＡ−Ａ線、Ｂ−Ｂ線およびＣ−Ｃ線に沿う断面図であり、また図４（ａ）および図４（ｂ）は、この実施例の折り畳み収納式ステージを折り畳んで透視状態で示す平面図および拡大側面図である。
【００２１】
これら図３，４に示すように、ステージ本体１は、上記折り曲げ部１ａの他、その折り曲げ部１ａの前側に位置する前部フレーム１ｂと、折り曲げ部１ａの後側に位置する後部フレーム１ｃと、それら前部フレーム１ｂおよび後部フレーム１ｃ上にそれぞれ張設された天板１ｄと、前部フレーム１ｂの前端部から両側部にかけて設けられた前部カバー１ｅと、前部フレーム１ｂおよび後部フレーム１ｃの両側部にステージ本体１の折り畳み状態で互いに干渉しないように後述の如くオフセットしてそれぞれ設けられた側部カバー１ｆとを有しており、前部フレーム１ｂおよび後部フレーム１ｃはそれぞれ、例えば各々角パイプからなる５本の前後方向桁材とそれらを一体的に連結する４本の左右方向梁材とを持っている。
【００２２】
ここで、前部フレーム１ｂの下側には例えば各々角パイプからなる３本の前部リンク部材１ｇが、前部フレーム１ｂの左右端部および中央部の３本の前後方向桁材と平行に配置され、また後部フレーム１ｃの下側には例えば各々角パイプからなる３本の後部リンク部材１ｈが、後部フレーム１ｃの左右端部および中央部の３本の前後方向桁材と平行に配置されており、前部フレーム１ｂおよび前部リンク部材１ｇの前端部は左右方向へ延在する前端ブラケット１ｉに上下方向搖動可能に軸支される一方、後部フレーム１ｃおよび後部リンク部材１ｈの後端部は５つの後端ブラケット１ｊに上下方向搖動可能に軸支され、さらに前部フレーム１ｂおよび前部リンク部材１ｇの後端部は折り曲げ部１ａの左右方向へ延在する中間ブラケット１ｋの前部に上下方向搖動可能に軸支される一方、後部フレーム１ｃおよび後部リンク部材１ｈの前端部は折り曲げ部１ａの左右方向へ延在する中間ブラケット１ｋの後部に上下方向搖動可能に軸支されている。
【００２３】
この構成により折り曲げ部１ａの前後にそれぞれ３組の４節平行リンクが構成されて、それらの４節平行リンクの平行移動機能により、前端ブラケット１ｉ、中間ブラケット１ｋおよび後端ブラケット１ｊがそれぞれ上下方向への延在状態を維持したまま、前部フレーム１ｂおよび後部フレーム１ｃとそれらに設けられた天板１ｄおよび側部カバー１ｆとが、折り曲げ部１ａで左右方向へ延在するヒンジ軸としての４本のリンク支持軸を介して、水平展開状態と折り曲げ状態との間で搖動可能とされている。
【００２４】
そして、前部カバー１ｅは前端ブラケット１ｉの前端部から両側部までを覆うように略コ字状に設けられ、前端ブラケット１ｉはその下端部に設けられた５つの車輪１ｑにより床面ＦＬ上を走行可能とされる一方、後端ブラケット１ｊはその下端部を凹部Ｐ内で床面ＦＬ上に配置されて固定され、中間ブラケット１ｋはその下端部に設けられた高さ調節可能な５本の脚１ｍを床面ＦＬ上に当接させることにより、ステージ本体１の水平展開状態でその折り曲げ部１ａを床面ＦＬ上に支持する。
【００２５】
さらに、この実施例の折り畳み収納式ステージは、上記２本のワイヤ３の巻き取りに伴ってステージ本体１の折り曲げを開始させる折り曲げ開始機構として、図３（ｃ）に示すように、中間ブラケット１ｋの下部に２本のワイヤ係合軸部材４が左右方向へ水平に延在するように設けられており、また、上記２本のワイヤ３の繰り出しに伴ってステージ本体１の展開を開始させる展開開始機構として、図４（ｂ）に示すように、前部フレーム押し出しバネ５が設けられ、この前部フレーム押し出しバネ５は、例えば前部フレーム１ｂおよび後部フレーム１ｃをそれぞれ中間ブラケット１ｋに揺動可能に支持する前後２本のリンク支持軸にそれぞれ挿通されたつるまきバネからなり、その一端部を中間ブラケット１ｋに掛止されるとともに、その他端部を前部フレーム１ｂまたは後部フレーム１ｃに掛止可能とされ、ステージ本体１の折り曲げが進むのに伴ってその他端部が前部フレーム１ｂまたは後部フレーム１ｃに掛止されてつるまきバネが捻られ、それら前部フレーム１ｂおよび後部フレーム１ｃを互いに離間する方向へ弾性的に附勢する附勢力を保持する。
【００２６】
図５（ａ）および図５（ｂ）は、上記実施例の折り畳み収納式ステージのウインチの要部を拡大して示す平面図および正面図であり、図示のように、この実施例の折り畳み収納式ステージにおける上記ウインチ２は、図３（ａ）および図４（ａ）中の左側のもののみ代表で示すが、床面ＦＬ上に固定された２つのドラム支持ブラケット２ａと、それらのドラム支持ブラケット２ａにそれぞれ左右方向へ延在する軸線周りに回転自在に支持された２つのドラム２ｂと、それら２つのドラム２ｂを一体回転可能に連結する連結シャフト２ｃと、一方（図３（ａ）および図４（ａ）では左側）のドラム支持ブラケット２ａの外側に設けられて、そのドラム支持ブラケット２ａが支持するドラム２ｂを回転駆動する減速機付モータ２ｄとを有しており、減速機付モータ２ｄはそのモータへの給電停止時に出力軸を制動する通常のブレーキを内蔵している。
【００２７】
そして上記２本のワイヤ３の一端部は、上記ウインチ２の２つのドラム２ｂのそれぞれの端部を直径方向へ貫通するワイヤ固定穴内にそれぞれ挿通されて固定され、またそれらのワイヤ３の他端部は、上記ウインチ２の２つのドラム支持ブラケット２ａに連結固定され、それらのワイヤ３の中間部は、図３（ａ）に示すように、前端ブラケット１ｉの内側に上下方向搖動可能かつその搖動軸線と直交する軸線周りに回転自在に軸支された２つのプーリ１ｎにそれぞれ掛け回されるとともに、上記２本のワイヤ係合軸部材４の下側に掛け渡されている。
【００２８】
さらにこの実施例の折り畳み収納式ステージでは、図１（ａ），（ｂ）に示すように、図では右端の後端ブラケット１ｊの近くにモータコントローラ７が設けられるとともに、図３（ａ）および図４（ａ）に示すように、図では右端の後端ブラケット１ｊの側部に、折り畳み状態検知部としての通常のリミットスイッチ１ｏが設けられており、このリミットスイッチ１ｏは例えば、ステージ本体１が完全に折り畳み状態になるまでは作動腕が自由状態で、ＯＦＦ信号をモータコントローラ７に出力し、ステージ本体１が完全に折り畳み状態になると前端ブラケット１ｉに作動腕が当接して作動し、ＯＮ信号をモータコントローラ７に出力する。
【００２９】
加えてこの実施例の折り畳み収納式ステージでは、図３（ａ）および図４（ａ）に示すように、図では左端の後端ブラケット１ｊの内側に、展開状態検知部としてのさらにもう１つの通常のリミットスイッチ１ｐが設けられており、このリミットスイッチ１ｐは例えば、ステージ本体１が完全に水平展開状態になるまでは作動腕が自由状態で、ＯＦＦ信号をモータコントローラ７に出力し、ステージ本体１が完全に水平展開状態になると後部リンク部材１ｈに作動腕が当接して作動し、ＯＮ信号をモータコントローラ７に出力する。
【００３０】
さらにこの実施例の折り畳み収納式ステージでは、図１および図３（ａ）、図４（ａ）に示すように、ステージ本体１の前端部の図では右端部に、通常の作動状態を示す青ランプと異常状態を示す赤ランプとが設けられるとともにコネクタが設けられた表示パネル８と、その表示パネル８のコネクタに接続されたリモートコントローラ９とを具えており、それら表示パネル８の青ランプおよび赤ランプと、リモートコントローラ９に設けられた制御スイッチとは、モータコントローラ７に接続されている。
【００３１】
そしてここにおけるモータコントローラ７は、例えば予め与えられたプログラムに基づき作動する通常のマイクロコンピュータと、そのマイクロコンピュータに制御されてモータを駆動する通常のモータドライバとを有し、上記リモートコントローラ９の制御スイッチの操作に従って、ウインチ２の減速機付モータ２ｄをステージ本体１の水平展開時に例えば正転作動させる一方で折り畳み時に例えば逆転作動させて所望の位置で停止させ、さらに、その水平展開時にリミットスイッチ１ｐがＯＮ信号を出力したら減速機付モータ２ｄの正転作動を停止させて水平展開を終了させ、また折り畳み時にリミットスイッチ１ｏがＯＮ信号を出力したら減速機付モータ２ｄの逆転作動を停止させて折り畳みを終了させる。
【００３２】
図６（ａ）は、上記実施例の折り畳み収納式ステージを展開して透視状態で示す、図３（ａ）の右端部の部分の拡大平面図、図６（ｂ）は、上記実施例の折り畳み収納式ステージを展開して透視状態で示す、図３（ｅ）の拡大側面図、そして図６（ｃ）は、図６（ｂ）中のＤ−Ｄ線に沿うとともに一部を省略して示す断面図であり、図示のようにこの実施例では、ステージ本体１の、折り曲げ部１ａで前後方向に区画される部分である前部および後部のそれぞれの両側端部にその部分毎に側部カバー１ｆを設け、ステージ本体１の、互いに隣接する部分の間で側部カバー１ｆ同士が左右方向に互いにオフセットして位置するようにそれらの側部カバー１ｆを配置して、それらの側部カバー１ｆをそれぞれ略逆Ｌ字状のブラケット１ｒで天板１の下面に固定している。
【００３３】
さらにこの実施例では、前端ブラケット１ｉの両側部に回り込んでいる前部カバー１ｅと、ステージ本体１が展開された状態でその前部カバー１ｅに隣接する側部カバー１ｆとが左右方向に互いにオフセットして位置するように、それらの側部カバー１ｆを配置している。
【００３４】
さらにこの実施例では、後端ブラケット１ｊに左右方向へ延在する塞ぎ板１ｓが設けられ、ステージ本体１が折り曲げられた状態で前端ブラケット１ｉの両側部の前部カバー１ｅが、その塞ぎ板１ｓに隣接または当接するようにされている。
【００３５】
かかるこの実施例の折り畳み収納式ステージにあっては、ステージ本体１の収納時には、リモートコントローラ９の制御スイッチを操作することで、ステージ本体１の水平展開状態からウインチ２の速機付モータ２ｄが２つのドラム２ｂを回転させて２本のワイヤ３を巻き取ってゆき、このワイヤ３の巻取りに伴って、先ず２本のワイヤ係合シャフト４が２本のワイヤ３の張力によりステージ本体１の折り曲げ部１ａを持ち上げてステージ本体１の縦方向への折り曲げを開始させ、さらにウインチ２が２本のワイヤ３を巻き取ってゆくと、ステージ本体１が図２（ｂ）に示すように縦に折り畳まれながら凹部Ｐ内に収納されてゆき、ステージ本体１が図２（ｃ）に示すように折り畳み状態になると、リミットスイッチ１ｏの作動腕が前端ブラケット１ｉに当接してリミットスイッチ１ｏがＯＮ信号をモータコントローラ７に出力し、これによりモータコントローラ７がウインチ２の減速機付モータ２ｄを作動停止させる。なお、この折り畳みの際に、前部フレーム押し出しバネ５が、前部フレーム１ｂおよび後部フレーム１ｃと中間ブラケット１ｋとによって捻られて、後述する押し出しのための弾性力を保持する。
【００３６】
一方、ステージ本体１の水平展開時には、リモートコントローラ９の制御スイッチを操作することで、ステージ本体１の折り畳み収納状態からウインチ２の減速機付モータ２ｄが２つのドラム２ｂを巻き取り時と逆に回転させて２本のワイヤ３を繰り出してゆき、このワイヤ３の繰り出しに伴って、先ず前部フレーム押し出しバネ５が、上記弾性力で前部フレーム１ｂおよび後部フレーム１ｃを中間ブラケット１ｋから離間する方向へ揺動するように附勢することにより、ステージ本体１の折り曲げ部１ａを広げてステージ本体１の展開を開始させ、その後は、ステージ本体１の中間部が自重により下降するとともにステージ本体１の前端部が前進して、ステージ本体１が水平状態まで展開する。
【００３７】
そして、ステージ本体１が水平展開状態になると、リミットスイッチ１ｐの作動腕が後部リンク部材１ｈに当接してリミットスイッチ１ｐがＯＮ信号をモータコントローラ７に出力し、これによりモータコントローラ７がウインチ２の減速機付モータ２ｄを作動停止させる。
【００３８】
このように、この実施例の折り畳み収納式ステージによれば、ステージ本体１を壁面Ｗの凹部Ｐへの折り畳み収納状態と、床面ＦＬ上での水平展開状態との間で変形させることができ、そのステージ本体１の収納の際には、ステージ本体１の、折り曲げ部１ａで前後方向に区画される部分である前部と後部のそれぞれの両側端部にその部分毎に側部カバー１ｆを設けてあるので、側部カバー１ｆを外さなくても折り曲げ部１ａでのステージ本体１の折り曲げに支障は生じず、またそのステージ本体１の水平展開の際には、ステージ本体１の前部と後部との間で側部カバー１ｆ同士が左右方向に互いにオフセットして位置するので、側方視で側部カバー１ｆを互いに端部が重なり合うような長さにしても側部カバー１ｆ同士が互いに干渉しない。
【００３９】
従って、この実施例の折り畳み収納式ステージによれば、側部カバー１ｆの着脱作業にかかる人手と時間を省くことができ、また、側部カバー１ｆを装着した状態でステージ本体１を折り畳んでも天板１ｄへの側部カバー１ｆの装着部や側部カバー１ｆ自体の損傷を生じることがない。しかも、側方視で側部カバー１ｆを互いに端部が重なり合うような長さにできるので、ステージ本体１の天板１ｄの下のウインチ２やワイヤ３やフレーム１ｂ、１ｃ等を観客から充分に隠して、ステージの外観を充分に整えることができる。
【００４０】
さらに、この実施例の折り畳み収納式ステージでは、ステージ本体１は、そのステージ本体１の前端部に位置する前端ブラケット１ｉと、そのステージ本体１の後端部に位置する後端ブラケット１ｊと、折り曲げ部１ａに位置する中間ブラケット１ｋと、を有し、前端ブラケット１ｉと中間ブラケット１ｋとの間および、後端ブラケット１ｊと中間ブラケット１ｋとの間が、左右方向へ延在するヒンジ軸を持ってそれらのブラケットとともに４節リンクを構成するリンク部材としての前部フレーム１ｂ、後部フレーム１ｃ、前部リンク部材１ｇおよび後部リンク部材１ｈで互いに連結されており、ステージ本体１の天板１ｄは、前部フレーム１ｂまたは後部フレーム１ｃに取り付けられ、前端ブラケット１ｉの下端部には車輪１ｑが設けられ、前端ブラケット１ｉの前部および両側部には前部カバー１ｅが設けられ、前端ブラケット１ｉの両側部の前部カバー１ｅと、ステージ本体１が展開された状態でその前部カバー１ｅに隣接する側部カバー１ｆとが、左右方向に互いにオフセットして位置するように配置されており、後端ブラケット１ｊは床面ＦＬに固定されている。
【００４１】
かかるこの実施例の折り畳み収納式ステージによれば、前端ブラケット１ｉと中間ブラケット１ｋとの間および、後端ブラケット１ｊと中間ブラケット１ｋとの間が、左右方向へ延在するヒンジ軸を持ってそれらのブラケットとともに４節平行リンクを構成するリンク部材で互いに連結されていることから、ステージ本体１が折り畳まれた状態と水平に展開された状態とで、床面ＦＬに固定された後端ブラケット１ｊと車輪１ｑが設けられた前端ブラケット１ｉとの間の相対姿勢が変化しないので、ステージ本体１の水平展開時および折り畳み時に車輪１ｑを常時下向きにして床面ＦＬに当接させながら前端ブラケット１ｉを進退移動させることができ、しかも前端ブラケット１ｉの両側部の前部カバー１ｅと、ステージ本体１が展開された状態でその前部カバー１ｅに隣接する側部カバー１ｆとが左右方向に互いにオフセットして位置することから、両側部の前部カバー１ｅと側部カバー１ｆの前端部とを互いに重なり合うような長さにできるので、ステージの外観をさらに整えることができる。
【００４２】
さらに、この実施例の折り畳み収納式ステージによれば、後端ブラケット１ｊに、左右方向へ延在する塞ぎ板１ｓが設けられ、前端ブラケット１ｉの両側部の前部カバー１ｅが、ステージ本体１が折り曲げられた状態で、塞ぎ板１ｓに隣接または当接するようにされていることから、ステージ本体１の折り曲げ収納状態で、前端ブラケット１ｉと後端ブラケット１ｊとの間の隙間をそれら前部カバー１ｅと塞ぎ板１ｓとで覆うことができ、これにより、前端ブラケット１ｉと後端ブラケット１ｊとの間の隙間に異物が侵入するのを防止し得て、その異物によってステージ本体１の展開作動が妨げられるのを回避することができる。
【００４３】
以上、図示例に基づき説明したが、この発明の折り畳み収納式ステージは上述の例に限定されるものでなく、特許請求の範囲の記載の範囲内で適宜変更し得るものであり、例えば、側部カバー１ｆ同士および前部カバー１ｅと側部カバー１ｆとのオフセットの順番は、上記実施例では前部カバー１ｅの内側に前側の側部カバー１ｆが位置し、その前側の側部カバー１ｆの内側に後側の側部カバー１ｆが位置しているが、これに限られず、適宜変更することができる。
【００４４】
また、側部カバー１ｆの取り付けは、上記実施例では天板１ｄの下面に対して行っているが、これに限られず、例えば前部フレーム１ｂまたは後部フレーム１ｃ、あるいは前部リンク部材１ｇまたは後部リンク部材１ｈに対して行っても良い。
【００４５】
さらに、上記実施例では側部カバー１ｆを、天板１ｄの両側端部に設けているが、例えば側部に壁面がある床面上で、その壁面に沿ってステージ本体１を展開および収納するような場合には、天板１ｄの、その壁面に向く側の側端部には側部カバー１ｆを設けなくても良いので、側部カバー１ｆを、天板１ｄの一方の側端部だけに設けても良く、この場合には前部カバー１ｅも、前端ブラケット１ｉの前部の他、その側部カバー１ｆを設ける側の側部だけに設けても良い。
【００４６】
また、上記実施例では前部カバー１ｅを前端ブラケット１ｉの前部および両側部に設けているが、例えば既設ステージに繋げるようにステージ本体１を展開するような場合には、その展開後に前端ブラケット１ｉの前部が既設ステージで隠れるため、前端ブラケット１ｉの前部の前部カバー１ｅも省略することができる。
【００４７】
そして、上記実施例ではステージ本体１は、電動のウインチ２でワイヤ３を繰り出しおよび巻き取りすることで展開および収納されているが、ステージ本体１は、例えばヒンジ軸を電動の回転機構で回転駆動したり、前部フレームと後部フレームとをエアシリンダで相対的に押し引きしたりすることで展開および収納されるものでも良く、あるいは人手で展開および収納されるものでも良い。
【産業上の利用可能性】
【００４８】
かくしてこの発明の折り畳み収納式ステージによれば、側部カバーの着脱作業にかかる人手と時間を省くことができ、また、側部カバーを装着した状態でステージ本体を折り畳んでも天板への側部カバーの装着部や側部カバー自体の損傷を生じることがない。しかも、側方視で側部カバーを互いに端部が重なり合うような長さにできるので、ステージ本体の天板の下の構造物を観客から充分に隠して、ステージの外観を充分に整えることができる。
【符号の説明】
【００４９】
１  ステージ本体
１ａ  折り曲げ部
１ｂ  前部フレーム
１ｃ  後部フレーム
１ｄ  天板
１ｅ  前部カバー
１ｆ  側部カバー
１ｇ  前部リンク部材
１ｈ  後部リンク部材
１ｉ  前端ブラケット
１ｊ  後端ブラケット
１ｋ  中間ブラケット
１ｍ  脚
１ｎ  プーリ
１ｏ，１ｐ  リミットスイッチ
１ｑ  車輪
１ｒ  ブラケット
１ｓ  塞ぎ板
２  ウインチ
２ａ  ドラム支持ブラケット
２ｂ  ドラム
２ｃ  連結シャフト
２ｄ  減速機付モータ
３  ワイヤ
４  ワイヤ係合軸部材
５  前部フレーム押し出しバネ
７  モータコントローラ
８  表示パネル
９  リモートコントローラ
ＦＬ  床面
Ｐ  凹部
Ｗ  壁面
【図１】
0005428028.tif 000002
【図２】
0005428028.tif 000003
【図３】
0005428028.tif 000004
【図４】
0005428028.tif 000005
【図５】
0005428028.tif 000006
【図６】
0005428028.tif 000007